(57)【要約】【課題】より簡易な構造でシャフト支持部からのシャフトの抜け止めを実現する。【解決手段】シャフト支持部６のシャフト４を挿入する側の開口と、軸受け７との間の間隙に、シャフト４の抜け止め機構１６が設けられる。そして、この抜け止め機構１６は、シャフト４に固定部材１８によって固体された樹脂フィルム１７と、シャフト支持部４の内側に、樹脂フィルム１７よりもシャフト支持部６のシャフト４を挿入する側の開口側で、且つ樹脂フィルム１７の移動範囲に突き出て設けられた凸部１９とを備える。【選択図】  図１
2004194460.tif 000002
【特許請求の範囲】
【請求項１】
円筒形状のシャフト支持部内に配される軸受けを介してシャフトが回転自在に支持されるシャフト回転型のモータにおいて、
上記シャフト支持部の上記シャフトを挿入する側の開口と上記軸受けとの間の間隙に上記シャフトの抜け止め機構が設けられ、
上記抜け止め機構は、上記シャフトに取り付けられた第１の抜け止め部材と、この第１の抜け止め部材よりもシャフト挿入側位置において上記シャフト支持部の内側に突出して設けられる第２の抜け止め部材とを備えることを特徴とするモータ。
【請求項２】
上記第１の抜け止め部材は、樹脂フィルムであることを特徴とする請求項１記載のモータ。
【請求項３】
上記第２の抜け止め部材は、上記シャフト支持部と一体に設けられることを特徴とする請求項１記載のモータ。
【請求項４】
ディスクドライブ装置に配設されるスピンドルモータであることを特徴とする請求項１記載のモータ。
【請求項５】
上記シャフトには、基部側にターンテーブル固定ブッシュを介してターンテーブルが取り付けられており、
上記第１の抜け止め部材は、上記ターンテーブル固定ブッシュと、上記シャフトに圧入された固定部材とに挟まれて固定されることを特徴とする請求項４記載のモータ。
【発明の詳細な説明】
【０００１】
【発明の属する技術分野】
本発明は、例えばディスクドライブ装置においてディスクを回転させるスピンドルモータ等のモータに関し、特にシャフトの抜け止め機構の改善に関する。
【０００２】
【従来の技術】
従来のディスクドライブ装置におけるスピンドルモータ５１は、図３に示すように、ロータ部５２に配されたターンテーブル５３の回転軸となるシャフト５４が、ステータ部５５の円筒形状のシャフト支持部５６に軸受け５７を介して回転自在に支持されている。
【０００３】
このようなディスクドライブ装置のスピンドルモータ５１では、ターンテーブル５３から光ディスクを取り外す際に、シャフト支持部５６へのシャフト５４の挿入方向とは逆方向（同図中矢印Ｂ方向）に、ターンテーブル５３及びターンテーブル５３に固定されたシャフト５４に対して引っ張り力が加わる。この引っ張り力によって、シャフト支持部５３からシャフト５４が抜けないようにするため、スピンドルモータ５１には、同図及び図４に示すように、シャフト５４の先端近傍に形成された溝５８と、この溝５８内に突き出るようシャフト支持部５３内に配された樹脂突起５９とからなる抜け止め機構６０が設けられている。スピンドルモータ５１では、図３中矢印方向の引っ張り力がシャフト５４に加わってシャフト支持部５６から抜けようと動いた場合、樹脂突起５９が溝５８の側壁５８ａに当接してシャフト５４を動きを止めることによって、シャフト５４の抜け止めが図られている。
【０００４】
【発明が解決しようとする課題】
しかしながら、上述した従来の抜け止め機構６０では、シャフト５４に抜け止め防止のための溝５８を形成するとともに、円筒形状のシャフト支持部５６内に樹脂突起５９を設けることが必要となるため、工程数の増加等によって製造が複雑化している。また、溝５８を形成する分だけシャフト５４を長くする必要があり、モータの薄型化が困難である。
【０００５】
このようなシャフトの抜け止めの構造については、上述したディスクドライブ装置におけるスピンドルモータに限らず、ファンモータ等の他用途のモータにおいても問題となっている。
【０００６】
そこで、本発明は、より簡易な構造でシャフトの抜け止めが実現されたモータを提供することを目的とする。
【０００７】
【課題を解決するための手段】
上述した目的を達成する本発明に係るモータは、円筒形状のシャフト支持部内に配される軸受けを介してシャフトが回転自在に支持されるシャフト回転型のモータであって、上記シャフト支持部の上記シャフトを挿入する側の開口と上記軸受けとの間の間隙に上記シャフトの抜け止め機構が設けられ、上記抜け止め機構は、上記シャフトに取り付けられた第１の抜け止め部材と、この第１の抜け止め部材よりもシャフト挿入側位置において上記シャフト支持部の内側に突出して設けられる第２の抜け止め部材とを備えることを特徴とする。
【０００８】
上述した構成を有する本発明に係るモータでは、第１の抜け止め部材をシャフトに、第２の抜け止め部材をシャフト支持部に配し、さらに第２の抜け止め部材を第１の抜け止め部材の移動範囲に突き出すように設けることで、シャフトがシャフト支持部から抜けようとしても、第１の支持部材と第２の支持部材が当接してシャフトの抜けを防止する。このように、本発明によれば、従来の抜け止め機構のように、抜け止め用の溝をシャフトに加工形成するような必要がなく、より簡易な構成によりシャフトの抜け止めが実現される。
【０００９】
また、本発明では、抜け止め機構が、シャフト支持部のシャフトを挿入する側の開口と、軸受けとの間の僅かな間隙に設けられる。したがって、本発明によれば、従来の抜け止め機構のように、抜け止め用の溝を形成するためにシャフトを長くする必要がなく、シャフトの抜けを防止しつつモータ自体の薄型化が容易となる。
【００１０】
【発明の実施の形態】
以下、本発明に係るモータの具体的な実施の形態について図面を参照しながら詳細に説明する。なお、以下では、本発明をディスクドライブ装置のスピンドルモータに適用した例について説明する。
【００１１】
スピンドルモータ１は、図１に示すように、固定側であるステータ部２に回転側であるロータ部３のシャフト４が回転自在に支持されたシャフト回転型のモータである。
【００１２】
ステータ部２には、ベース５にロータ部３のシャフト４を支持する円筒形状のシャフト支持部６が形成されている。そして、このシャフト支持部６内には軸受け７が設けられ、シャフト４が挿入されることで、この軸受け７を介してシャフト４を回転自在に支持している。この軸受け７は、例えば円筒形状の滑り軸受けである。
【００１３】
シャフト支持部６は、ベース５側の開口が底板８により閉塞されており、この底板８にシャフト４の先端部を当接させることによって、シャフト４及びシャフト４を有するロータ部３のべース５側への移動を規制している。
【００１４】
また、シャフト支持部６の外周部には、ステータコア９と、このステータコア９に巻回されたステータコイル１０とが設けられている。
【００１５】
ロータ部３には、シャフト４を回転軸とするターンテーブル１１がターンテーブル固定ブッシュ１２を介してシャフト４の基部側に取り付けられており、また、カップ状のヨーク１３が同様にターンテーブル固定ブッシュ１２を介してシャフト４に取り付けられている。ターンテーブル１１には、ＣＤ−ＲＯＭ等の光ディスクのローディング時に例えば磁気吸着力等により光ディスクが装着される。このターンテーブル１１の上面外周側には、装着した光ディスク光ディスクに対する滑り止め用のパッド１４が配設されている。ヨーク１３は、その内周面側で、且つシャフト支持部６の外周部のステータコア９に対向する位置に、リング状の永久磁石１５が取り付けられている。
【００１６】
このようなスピンドルモータ１においては、ステータコイル１０に給電励磁して発生する回転磁界と、永久磁石１５の磁界とにより、ヨーク１３を回転させる駆動力が発生し、この駆動力がシャフト４及びシャフト４に取り付けられたターンテーブル１１に伝達されることによって光ディスクを装着するターンテーブル１１が回転駆動される。
【００１７】
このスピンドルモータ１においては、シャフト４のシャフト支持部６からの抜けを防止する抜け止め機構１６が、シャフト支持部６のターンテーブル１１側の開口に設けられている。
【００１８】
抜け止め機構１６は、図１及び図２に示すように、ターンテーブル固定ブッシュ１２の下端側に配された樹脂フィルム１７と、この樹脂フィルム１７を固定する金属製の固定部材１８と、シャフト支持部６の内側に該シャフト支持部６と一体に設けられた凸部１９とにより構成されている。樹脂フィルム１７は、シャフト４に圧入された固定部材１８とターンテーブル固定ブッシュ１２とに挟まれて保持される。凸部１９は、シャフト支持部６へのシャフト６の挿入時に樹脂フィルム１７に比してターンテーブル１１側の開口寄りの位置、例えばターンテーブル１１側の開口近傍に樹脂フィルム１７の移動範囲に突き出て設けられる。なお、凸部１９は、シャフト支持部６と一体ではなく、別部材を取り付けるようにしてもよい。
【００１９】
このような抜け止め機構１６では、例えばターンテーブル１１から光ディスクを取り外す際にシャフト４を引っ張る力が働き、図２中矢印Ａ方向にシャフト４が動いた場合であっても、樹脂フィルム１７と、この樹脂フィルム１７の移動範囲に突き出た凸部１９とが当接するため、シャフト４の動きを止めてシャフト４の抜けを防止することができる。
【００２０】
この抜け止め機構１６は、ターンテーブル固定ブッシュ１２の下端部に、樹脂フィルム１７をターンテーブル固定ブッシュ１２と固定部材１８とで挟み込んで配するという非常に簡易な構成により実現することができる。また、従来の抜け止め機構の如く、抜け止め用の溝をシャフトに加工形成するような必要がない。したがって、スピンドルモータ１の製造が簡易化でき、生産性を向上させることができるようになる。
【００２１】
また、抜け止め機構１６は、ターンテーブル固定ブッシュ１２と、シャフト支持部６内の軸受け７との間にある僅かな間隙を利用して設けることが可能であり、従来の抜け止め機構の如く、抜け止め用の溝を形成するためにシャフトを長くする必要がない。したがって、シャフト４の抜けを防止しつつスピンドルモータ１、及びこのスピンドルモータ１を用いたディスクドライブ装置の薄型化を図ることができるようになる。
【００２２】
なお、上述した実施の形態では、本発明をスピンドルモータに適用した場合について説明したが、本発明はこれに限定されるものではなく、シャフトを軸受けを介して円筒形状のシャフト支持部に回転自在にシャフトを支持している、例えばファンモータの如き他用途のモータにも適用することができる。
【００２３】
【発明の効果】
以上、詳細に説明したように、本発明に係るモータによれば、第１の抜け止め部材をシャフトに、第２の抜け止め部材をシャフト支持部に配し、さらに第２の抜け止め部材を第１の抜け止め部材の移動範囲に突き出して設けるという簡易な構成によりシャフトの抜け止めが実現されるため、モータの製造を簡易化することができる。
【００２４】
また、本発明によれば、抜け止め機構が、シャフト支持部のシャフトを挿入する側の開口と、軸受けとの間の僅かな間隙に設けられるため、シャフトの抜けを防止しつつモータ自体、及びこのモータを使用したディスクドライブ装置等の装置本体の薄型化を容易に実現することができる。
【図面の簡単な説明】
【図１】本発明を適用したスピンドルモータの縦断面図である。
【図２】同スピンドルモータの抜け止め機構を拡大して示す要部縦断面図である。
【図３】従来のスピンドルモータの縦断面図である。
【図４】同スピンドルモータの抜け止め機構を拡大して示す要部縦断面図である。
【符号の説明】
１          スピンドルモータ
３          ロータ部
４          シャフト
５          ベース
６          シャフト支持部
７          軸受け
８          底板
９          ステータコア
１０        ステータコイル
１１        ターンテーブル
１２        ターンテーブル固定用ブッシュ
１３        ヨーク
１４        パッド
１５        永久磁石
１６        抜け止め機構
１７        樹脂フィルム
１８        固定部材
１９        凸部
【図１】
2004194460.tif 000003
【図２】
2004194460.tif 000004
【図３】
2004194460.tif 000005
【図４】
2004194460.tif 000006